(57)【要約】【課題】グレチャンやビード材を用いなくても框体にガラス体を安定的に保持することができ、かつガラス厚の違いにも対応できる樹脂サッシを提供する。【解決手段】框体２０は内周面にガラス体８を納めるガラス挿入溝２０ｂを四周に渡って備え、ガラス挿入溝２０ｂの両側面には互いに対向するヒレ部３０を少なくとも２組形成し、ヒレ部３０は軟質樹脂からなり、第１のヒレ部３１は根元部３２がガラス挿入溝２０ｂの開口端部から直交する方向に向かうと共に、先端部３３がガラス挿入溝２０ｂの開口内側方向に向かうように形成され、他の組のヒレ部３４は第１のヒレ部３１よりガラス挿入溝２０ｂの開口内側に設けられると共に、先端部３５がガラス挿入溝２０ｂの開口内側方向に向かうように形成されてなる。【選択図】図７
2007224565.tif 000002
【特許請求の範囲】
【請求項１】
樹脂材により構成され内部にガラス体を納めてなる方形状の框体を有する樹脂サッシにおいて、
前記框体は内周面に前記ガラス体を納めるガラス挿入溝を四周に渡って備え、該ガラス挿入溝の両側面には互いに対向するヒレ部を少なくとも２組形成し、該ヒレ部は軟質樹脂からなり、第１のヒレ部は根元部が前記ガラス挿入溝の開口端部から直交する方向に向かうと共に、先端部が前記ガラス挿入溝の開口内側方向に向かうように形成され、他の組のヒレ部は前記第１のヒレ部より前記ガラス挿入溝の開口内側に設けられると共に、先端部が前記ガラス挿入溝の開口内側方向に向かうように形成されてなることを特徴とする樹脂サッシ。
【請求項２】
前記框体は硬質樹脂からなり、軟質樹脂からなる前記ヒレ部は前記框体を構成する框材と共押出しにより一体成形されてなることを特徴とする請求項１記載の樹脂サッシ。
【請求項３】
前記ガラス挿入溝の開口端部には両側に突起部が形成され、該突起部の先端から前記第１のヒレ部が形成されてなることを特徴とする請求項１または２記載の樹脂サッシ。
【発明の詳細な説明】
【技術分野】
【０００１】
本発明は、樹脂材により構成される樹脂サッシに関し、特に框体内部にガラス体を納めてなる樹脂サッシに関する。
【背景技術】
【０００２】
従来から、建物開口部に対して樹脂材からなる樹脂サッシを設けることがある。樹脂サッシは、断熱性に優れているため、寒冷地において用いられる他、二重構造のサッシにおいて外窓の内側に設けられる内窓に用いられることがある。樹脂サッシは、枠体内に障子を納めてなり、障子は框体の内部にガラス体を納めて構成される。樹脂サッシとしては例えば特許文献１に挙げるようなものがある。
【特許文献１】特開平１０−１１５１５２号公報
【０００３】
框体に対するガラス体の固定は、框体の内周面にガラス挿入溝を四周に渡って形成し、このガラス挿入溝にグレチャンを巻いたガラス体の周縁部を納めるか、ビード材を框体とガラス体の隙間に圧入してなしていた。
【発明の開示】
【発明が解決しようとする課題】
【０００４】
ガラス体の固定にグレチャンを用いると、厚さの異なるガラス体を納める際にガラス幅に応じたグレチャンを選択することができるという利点がある一方、グレチャンをガラス体の周縁部に巻く作業が必要であり、熟練を必要とするなどその作業性は必ずしも良好ではなかった。また、ビード材を圧入する場合においても同様の問題点を有している。
【０００５】
本発明は、上記課題を解決すべくなされたものであり、グレチャンやビード材を用いなくても框体にガラス体を安定的に保持することができ、かつガラス厚の違いにも対応できる樹脂サッシを提供することを目的とする。
【課題を解決するための手段】
【０００６】
上記課題を解決するため、本発明に係る樹脂サッシは、樹脂材により構成され内部にガラス体を納めてなる方形状の框体を有する樹脂サッシにおいて、
前記框体は内周面に前記ガラス体を納めるガラス挿入溝を四周に渡って備え、該ガラス挿入溝の両側面には互いに対向するヒレ部を少なくとも２組形成し、該ヒレ部は軟質樹脂からなり、第１のヒレ部は根元部が前記ガラス挿入溝の開口端部から直交する方向に向かうと共に、先端部が前記ガラス挿入溝の開口内側方向に向かうように形成され、他の組のヒレ部は前記第１のヒレ部より前記ガラス挿入溝の開口内側に設けられると共に、先端部が前記ガラス挿入溝の開口内側方向に向かうように形成されてなることを特徴として構成されている。
【０００７】
また、本発明に係る樹脂サッシは、前記框体は硬質樹脂からなり、軟質樹脂からなる前記ヒレ部は前記框体を構成する框材と共押出しにより一体成形されてなることを特徴として構成されている。
【０００８】
さらに、本発明に係る樹脂サッシは、前記ガラス挿入溝の開口端部には両側に突起部が形成され、該突起部の先端から前記第１のヒレ部が形成されてなることを特徴として構成されている。
【発明の効果】
【０００９】
本発明に係る樹脂サッシによれば、ガラス挿入溝の両側面には互いに対向するヒレ部を少なくとも２組形成し、ヒレ部は軟質樹脂からなり、第１のヒレ部は根元部がガラス挿入溝の開口端部から直交する方向に向かうと共に、先端部がガラス挿入溝の開口内側方向に向かうように形成され、他の組のヒレ部は第１のヒレ部よりガラス挿入溝の開口内側に設けられると共に、先端部がガラス挿入溝の開口内側方向に向かうように形成されてなることにより、框材に形成されたヒレ部によってガラス体を挟持固定することができ、グレチャンやビード材を用いることなく容易にガラス体を框体に対し固定することができる。しかも第１のヒレ部によって強固な固定をなすことができると共に、ガラス厚の変化にも対応することができる。
【００１０】
また、本発明に係る樹脂サッシによれば、框体は硬質樹脂からなり、軟質樹脂からなるヒレ部は框体を構成する框材と共押出しにより一体成形されてなることにより、ヒレ部を容易にかつ効率よく形成することができる。
【００１１】
さらに、本発明に係る樹脂サッシによれば、ガラス挿入溝の開口端部には両側に突起部が形成され、突起部の先端から第１のヒレ部が形成されてなることにより、ヒレ部を用いない場合に框体にグレチャンを係合させることができる。
【発明を実施するための最良の形態】
【００１２】
本発明の実施形態について、図面に沿って詳細に説明する。本実施形態は、樹脂サッシを内窓として有する二重構造のサッシを対象としている。図１は本実施形態におけるサッシ全体の縦断面図、図２はサッシ全体の横断面図である。サッシ全体の構成は、建物開口部に外窓５０を取付け、その室内側に内窓１を設けて二重構造としてなるものである。
【００１３】
外窓５０は、方形状に枠組みされた外側枠体５１内に、外側内障子５２と外側外障子５３を引き違い状に納めてなるものであり、一般的なサッシの構成と同様のものである。外窓５０の室内側には上辺及び縦辺に額縁材５が、下辺には床材６がそれぞれ設けられており、額縁材５の室内側端部付近に内窓１が取付けられる。
【００１４】
内窓１は、額縁材５及び床材６に取付けた枠体２内に内障子３と外障子４を引き違い状に納めてなるものである。枠体２は、いずれも樹脂材からなる上枠１０と下枠１１及び左右の縦枠１２、１２を方形状に枠組みして構成される。また、内障子３及び外障子４は、いずれも樹脂材からなる上框２０と下框２１、枠側に配置される縦框である枠側縦框２２及び召合せ側に配置される縦框である召合せ框２３を方形状に框組みしてなる框体７にガラス体８を納めて構成され、枠体２内において長手方向に走行自在となるように納められる。すなわち、内窓１は樹脂材によって構成される樹脂サッシである。
【００１５】
図３には、内窓１の縦断面図における上部拡大図を示している。この図に示すように、上枠１０は室内端部に室内側片１０ａを、室外端部に室外側片１０ｄをそれぞれ備え、さらにそれらの間には内レール１０ｂ及び外レール１０ｃが突出し、それぞれ内障子３及び外障子４を案内する。
【００１６】
内障子３の上框２０は、上面に案内溝２０ａが形成され、これが上枠１０の内レール１０ｂに案内される。また、上框２０の下面にはガラス挿入溝２０ｂが形成され、さらにガラス挿入溝２０ｂの両側面開口近傍にはそれぞれ２組の軟質樹脂からなるヒレ部３０が一体的に形成されている。ガラス体８はガラス挿入溝２０ｂ内に納められ、ヒレ部３０によって室内外面をそれぞれ押圧され固定される。ヒレ部３０は、ガラス挿入溝２０ｂの開口端部に一対設けられる第１のヒレ部３１と、第１のヒレ部３１よりもガラス挿入溝２０ｂの開口内側部に一対設けられる第２のヒレ部３４との２組により構成される。
【００１７】
外障子４の上框２０も内障子３の上框２０と同様の構成からなり、上面の案内溝２０ａが上枠１０の外レール１０ｃに案内され、下面のガラス挿入溝２０ｂにガラス体８を納めてヒレ部３０によって両面から押圧固定している。
【００１８】
図４には、内窓１の縦断面図における下部拡大図を示している。この図に示すように、下枠１１は室内端部に室内側片１１ａを、室外端部に室外側片１１ｄをそれぞれ備え、さらにそれらの間には内レール１１ｂ及び外レール１１ｃが上面から突出し、それぞれ内障子３及び外障子４が走行自在となるように案内する。
【００１９】
内障子３の下框２１には、下部に戸車２１ａが設けられ、この戸車２１ａが下枠１１の内レール１１ｂに載置されて内障子３を長手方向に走行自在とする。また、下框２１の上面にはガラス挿入溝２１ｂが形成されると共に、その開口近傍にはそれぞれ２組の軟質樹脂からなるヒレ部３０が一体的に形成されている。下框２１におけるヒレ部３０も上框２０におけるヒレ部３０と同様、第１のヒレ部３１と第２のヒレ部３４とからなっている。ガラス体８はガラス挿入溝２１ｂ内に納められ、ヒレ部３０によって室内外面をそれぞれ押圧され固定される。
【００２０】
外障子４の下框２１も内障子３の下框２１と同様の構成からなり、下部に戸車２１ａが、上面にガラス挿入溝２１ｂ及びヒレ部３０が形成され、戸車２１ａは下枠１１の外レール１１ｃに載置されて走行自在とされ、ガラス挿入溝２１ｂにはガラス体８が納められてヒレ部３０によって両面から押圧固定する。
【００２１】
図５には、内窓１の横断面図における召合せ部拡大図を示している。この図に示すように、内障子３の召合せ框２３は、外周側にクレセント２３ａが設けられ、内周側にはガラス挿入溝２３ｂが形成される。ガラス挿入溝２３ｂには開口部近傍に軟質樹脂からなるヒレ部３０が２組、一体的に形成されており、ガラス体８はガラス挿入溝２３ｂに納められてヒレ部３０により両面から押圧固定される。ここでも、ヒレ部３０は第１のヒレ部３１と第２のヒレ部３４とから構成される。外障子４の召合せ框２３は、外周側には何も設けられておらず、内周側にはガラス挿入溝２３ｂ及びヒレ部３０が形成されており、内障子３の召合せ框２３と同様のガラス固定構造を有している。さらに、枠側縦框２２においても同様に、ガラス体８はガラス挿入溝に納められると共に、ヒレ部３０により両面から押圧固定される。
【００２２】
ヒレ部３０によるガラス体８の固定について詳細に説明する。図６には、上框２０におけるガラス挿入溝２０ｂ及びガラス体８の拡大分解図を示している。ヒレ部３０を構成する第１のヒレ部３１は、ガラス挿入溝２０ｂの開口端部に設けられ、第２のヒレ部３４は、ガラス挿入溝２０ｂの開口内側に設けられる。軟質樹脂からなるヒレ部３０は、硬質樹脂からなる上框２０と共押出しによって一体的に形成される。ガラス体８は、ガラス挿入溝２０ｂの開口から内側に向かって挿入される。
【００２３】
第１のヒレ部３１は、根元部３２がガラス挿入溝２０ｂの開口端部から、それと直交する方向に向かうように形成され、先端部３３がガラス挿入溝２０ｂの開口内側方向に向かうように形成される。また、第２のヒレ部３４は、先端部３３がガラス挿入溝２０ｂの開口内側方向に向かうように形成される。
【００２４】
このようにガラス挿入溝２０ｂの開口端部に設けられる第１のヒレ部３１について、その根元部３２が開口端部と直交する方向に向かうようにされていることで、ガラス体８を押圧する強度を充分に確保することができる。また、第１のヒレ部３１と第２のヒレ部３４共に先端部３３がガラス挿入溝２０ｂの開口内側方向に向かうように形成されていることにより、ガラス体８をガラス挿入溝２０ｂに挿入しやすく、かつ抜けにくいようにすることができると共に、ガラス体８の厚みの違いにも対応させることができる。
【００２５】
ガラス挿入溝２０ｂの開口端部には、内側に向かって突出する突起部２０ｃが対向状に形成されている。第１のヒレ部３１はこの突起部２０ｃの先端から延びるように形成されている。このように突起部２０ｃが形成されていることにより、ヒレ部３０が劣化等して使用できなくなった場合に、代わりにガラス体８の周縁部にグレチャンを巻いて、ヒレ部３０を取り除いた突起部２０ｃに係合固定させることができる。なおこの突起部の構成は、下框２１や枠側縦框２２及び召合せ框２３においても同様である。
【００２６】
図７には、上框２０におけるガラス挿入溝２０ｂ付近の拡大図を示している。この図に示すように、ヒレ部３０を構成する第１のヒレ部３１と第２のヒレ部３４は、先端部３３、３５がそれぞれガラス体８の表面に圧接し、これを両面から挟持することによって固定している。ガラス体８を挿入することでヒレ部３０の先端部３３、３５はより開口内側に向かって屈曲し、ガラス体８が抜けないように固定しておくことができる。
【００２７】
図６、図７には、上框２０におけるガラス体８の固定について示したが、下框２１や枠側縦框２２及び召合せ框２３においても、全く同様の構造により、ガラス体８の固定がなされている。すなわち、ガラス体８は周縁部が四周に渡ってガラス挿入溝に挿入され、ヒレ部３０によって固定されていることになる。このように、ガラス体８を框材に一体的に形成されたヒレ部３０によって固定するようにしたので、ガラス体８の固定にグレチャンやビード材を用いる必要がなく、容易にガラス体８の固定を行うことができる。
【００２８】
以上、本発明の実施形態について説明したが、本発明の適用はこの実施形態には限られず、その技術的思想の範囲内において様々に適用されうるものである。本実施形態では、ヒレ部３０は２組設けることとしたが、もっと多くてもよい。この場合でも開口端部に設けられる第１のヒレ部３１は、根元部３２が開口端部に対して直交するように設ける。また、本実施形態は内窓について示したが、通常の樹脂サッシにも本発明をそのまま適用することができる。
【図面の簡単な説明】
【００２９】
【図１】本実施形態における内窓を有したサッシ全体の縦断面図である。
【図２】本実施形態における内窓を有したサッシ全体の横断面図である。
【図３】内窓の縦断面図における上部拡大図である。
【図４】内窓の縦断面図における下部拡大図である。
【図５】内窓の横断面図における中央部拡大図である。
【図６】上框におけるガラス挿入溝及びガラス体の拡大分解図である。
【図７】上框におけるガラス挿入溝付近の拡大図である。
【符号の説明】
【００３０】
１    内窓
２    枠体
３    内障子
４    外障子
７    框体
８    ガラス体
１０    上枠
１１    下枠
１２    縦枠
２０    上框
２１    下框
２２    枠側縦框
２３    召合せ框
３０    ヒレ部
３１    第１のヒレ部
３４    第２のヒレ部
５０    外窓
【図１】
2007224565.tif 000003
【図２】
2007224565.tif 000004
【図３】
2007224565.tif 000005
【図４】
2007224565.tif 000006
【図５】
2007224565.tif 000007
【図６】
2007224565.tif 000008
【図７】
2007224565.tif 000009